(57)【要約】【課題】すっきりとした、見栄えのよい外観を有する雨樋集水ますを提供する。【解決手段】竪樋８の頂部に取り付けられる集水ます本体１と、該集水ます本体１に嵌着する天板２と、雨水を案内するエルボ７を覆うエルボカバー３とからなる集水ますであって、該エルボカバー３は上方に開口した正断面コ字型に形成され、上記集水ます本体１の躯体対向面には上記エルボカバー３が嵌着するための開口縁１１が設けられるとともに、上記天板２の略中央部は張り出して上記エルボカバー３を覆う張出し部２１とされた雨樋集水ますＡ。【選択図】図２
2006193988.tif 000002
【特許請求の範囲】
【請求項１】
竪樋の頂部に取り付けられる集水ます本体と、該集水ます本体に嵌着する天板と、雨水を案内するエルボを覆うエルボカバーとからなる集水ますであって、該エルボカバーは上方に開口した正断面コ字型に形成され、上記集水ます本体の躯体対向面には上記エルボカバーが嵌着するための開口縁が設けられるとともに、上記天板の略中央部は張り出して上記エルボカバーを覆う張出し部とされた雨樋集水ます。
【請求項２】
上記エルボカバーの外周面には上記開口縁に嵌着する溝部が一定間隔で刻設されるとともに、上記張出し部には張り出し長さに応じて切断できる出寸法調節用切れ目が入れられた請求項１に記載の雨樋集水ます。
【請求項３】
上記天板に換気孔が設けられた請求項１に記載の雨樋集水ます。
【発明の詳細な説明】
【技術分野】
【０００１】
本発明は、集水ますに関する。さらに詳しくは、建物の駆体に取り付けられる雨樋集水ますに関する。
【背景技術】
【０００２】
陸屋根を有する家屋あるいはビルの屋上等からの雨水排水をエルボを介して集水する集水ますは公知であり、例えば下記特許文献に記載の技術が知られている。
【特許文献１】実開平６−８７５３４号公報（第１−２頁、第５図）
【発明の開示】
【発明が解決しようとする課題】
【０００３】
従来、公知の集水ますとしては、上記特許文献１の図５に示されているように、屋上の雨水排水溝から雨水を案内するエルボが横方向に挿入されるとともに、底部に竪樋を垂設した集水ますの構造が知られている。上記竪樋は、通常、控え金具で建物の駆体に取り付けられ、この控え金具の出寸法によって、上記エルボ、または、ＪＩＳ規定の鋼管等が露出して外観上好ましくないという問題がある。本発明はこのような問題を解決して、上記したエルボや鋼管等を見えなくし、すっきりとした、見栄えのよい外観を有する雨樋集水ますを提供することをその課題とする。
【課題を解決するための手段】
【０００４】
上記課題を解決するために、本発明においては、つぎのような技術的手段を講じている。すなわち、本発明によれば、竪樋の頂部に取り付けられる集水ます本体と、該集水ます本体に嵌着する天板と、雨水を案内するエルボを覆うエルボカバーとからなる集水ますであって、該エルボカバーは上方に開口した正断面コ字型に形成され、上記集水ます本体の躯体対向面には上記エルボカバーが嵌着するための開口縁が設けられるとともに、上記天板の略中央部は張り出して上記エルボカバーを覆う張出し部とされた雨樋集水ますが提供される。
【０００５】
上記エルボカバーの外周面には上記開口縁に嵌着する溝部が一定間隔で刻設されることが好ましい。好ましくは、最も集水ます本体に寄った溝部が上記開口縁に嵌着される。また、上記張出し部には張り出し長さに応じて切断できる出寸法調節用切れ目が入れられることが好ましい。さらに、上記集水ます本体の天板に換気孔が設けられることが好ましい。
【発明の効果】
【０００６】
請求項１に記載の発明は上記のとおりであり、集水ます本体の躯体対向面に上方に開口した開口縁を設け、この開口縁にエルボカバーを嵌着させるとともに、上記天板の略中央部は張り出して上記エルボカバーを覆うため、雨水を案内するエルボを見えないように隠し、すっきりとした、見栄えのよい外観を有する雨樋集水ますを提供することができる。
【０００７】
上記エルボカバーの外周面には溝部が一定間隔で刻設されているため、最も集水ます本体に寄った溝部を上記開口縁に嵌着し、エルボの出寸法に合わせて上記溝部を施工現場で簡単に切断できる。したがって、現場で余長を除いてエルボカバーの長さを調節し、エルボの下部ならびに側面部を作業性よく覆うことができる。
【０００８】
また、上記張出し部には張り出し長さに応じて切断できる出寸法調節用切れ目が入れられているため、現場で簡単に切断して張り出し長さを調節し、エルボカバーの上部を覆うことができる。かくして、エルボカバーと張出し部とが合同し、エルボを露出させることなく雨樋集水ますを施工することができる。上記天板には換気孔が設けられているため、通気性が保たれ、雨水をスムースに流すことができるとともに、竪樋内の換気性を保つことができる。
【発明を実施するための最良の形態】
【０００９】
以下、本発明の実施形態について図面を参照して、詳細に説明する。図１は、本発明にかかる雨樋集水ますＡの構成を示す分解斜視図である。図１からよくわかるように、集水ます本体１と、この集水ます本体１に嵌着される天板２と、雨水を案内するエルボを覆うエルボカバー３とからなる集水ますは、図示しない控え金具によって駆体に固定された竪樋の頂部に取り付けられ、雨樋集水ますＡを構成する。上記エルボカバー３は上方に開口した正断面コ字型に形成され、上記集水ます本体１の躯体対向面には上記エルボカバー３の外周面に一定間隔で刻設した溝部３１が嵌着するための開口縁１１が設けられている。また、上記天板２の略中央部は張り出して上記エルボカバー３を覆う張出し部２１とされ、この張出し部２１には張り出し長さに応じて切断できる出寸法調節用切れ目２１１が入れられている。４は天板２に設けた換気孔、１２は竪樋嵌着部である。
【００１０】
図２は上記集水ます本体１に天板２とエルボカバー３とを組み付けた本発明にかかる雨樋集水ますＡを示す斜視図である。図２において、図１に示した最も集水ます本体寄りの溝部３１ａが開口縁１１に嵌着されるとともに、エルボの出寸法に応じて溝部３１が切断され、上記張出し部２１に入れられた出寸法調節用切れ目２１１もエルボの出寸法に応じて切断されている。このようにすることによって、エルボは張出し部２１とエルボカバー３とによって覆われるため、すっきりとした、見栄えのよい外観を有する雨樋集水ますＡとすることができる。
【００１１】
図３は、図２に示す雨樋集水ますＡを竪樋８に冠着し、駆体５に取り付けた状態を示す側面図である。図３から明らかなように、竪樋８は控え金具９によって建物の駆体５に取り付けられるとともに、その頂部には、集水ます本体１の底部に垂設された竪樋嵌着部１２が嵌着している。また、集水ます本体１の駆体対向面には、雨水排水溝を構成する壁６を横貫したエルボ７が挿入されているが、エルボ７は、上記エルボカバー３と、張出し部２１とによってその全面が覆われ、外部に露出することはない。
【００１２】
このように本発明を実施することにより、エルボ７が外部から見えることなく隠されるため、意匠性の向上した見栄えのよい雨樋集水ますとすることができる。なお、本実施形態においてはエルボ７が用いられたが、エルボ７のみならず、ＪＩＳ規定の鋼管等その他の雨水案内手段にも適用可能であり、本発明の特許請求の範囲を逸脱しない限り、いずれの場合も本発明の技術的範囲に含まれる。
【図面の簡単な説明】
【００１３】
【図１】本発明にかかる雨樋集水ますの構成を示す分解斜視図である。
【図２】本発明にかかる雨樋集水ますを示す斜視図である。
【図３】本発明にかかる雨樋集水ますを竪樋に冠着し、駆体に取り付けた状態を示す側面図である。
【符号の説明】
【００１４】
Ａ          本発明にかかる雨樋集水ます
１          集水ます本体
１１        開口縁
１２        竪樋嵌着部
２          天板
２１        張出し部
２１１      出寸法調節用切れ目
３          エルボカバー
３１        溝部
３１ａ      最も集水ます本体寄りの溝部
４          換気孔
５          駆体
６          雨水排水溝を構成する壁
７          エルボ
８          竪樋
９          控え金具
【図１】
2006193988.tif 000003
【図２】
2006193988.tif 000004
【図３】
2006193988.tif 000005